(57)【特許請求の範囲】
【請求項１】
サービス要請システムにおいて、
売り場コードをユーザ機器に伝達するブルートゥース信号機と、
仮想ボタンアプリケーションを実行し、前記仮想ボタンアプリケーションが実行された状態で前記売り場コードを受信すれば、サーバに前記売り場コードを再送信し、サーバから前記売り場コードに対応する仮想ボタンを受信し、前記仮想ボタンのうち、１つのボタンが選択されれば、テーブル番号を受信するための動作要請画面を表示し、テーブル番号を受信することでテーブル番号及びボタン選択情報をサーバに提供するユーザ機器と、
前記ユーザ機器から受信された売り場コードに対応する仮想ボタンを検索してユーザ機器に送信し、前記ユーザ機器からテーブル番号、ボタン選択情報が受信されれば、これを職員用機器に送信するサーバと、
前記サーバから前記テーブル番号及びボタン選択情報を受信する職員用機器と、
前記テーブル番号をユーザ機器に送信する呼び出しベルと、
を備え、
前記ユーザ機器は、
前記仮想ボタンが表示される画面において仮想ボタンが選択される前と、仮想ボタンが選択された後とを区分して表示し、特定仮想ボタンが選択された後、売り場の職員が確認する前と売り場の職員が確認した後との状態を区分して表示することを特徴とする仮想ボタンを用いたサービス要請システム。
【請求項２】
前記呼び出しベルは、内部にＮＦＣモジュールを備え、
前記ユーザ機器は、仮想ボタン選択後、ＮＦＣタグ動作を要請する画面を表示し、呼び出しベルとのＮＦＣ接触がなされれば、ＮＦＣタグによる呼び出しベルＩＤを受信して、テーブル番号に関する情報を受信することを特徴とする請求項１に記載の仮想ボタンを用いたサービス要請システム。
【請求項３】
前記呼び出しベルは、一面にテーブル番号を含むキューアールコードを付着し、
前記ユーザ機器は、仮想ボタン選択後、前記キューアールコードの撮影を要請する画面を表示し、前記キューアールコードの撮影がなされれば、当該テーブル番号を受信することを特徴とする請求項１に記載の仮想ボタンを用いたサービス要請システム。
【請求項４】
前記呼び出しベルは、売り場コード及びテーブル番号のうち、少なくとも１つが含まれたブルートゥース信号をユーザ機器に送信するブルートゥースモジュールを備え、
前記ユーザ機器は、前記呼び出しベルからテーブル番号を含むブルートゥース信号を受信した状態で仮想ボタンを選択すれば、ボタン選択情報とテーブル番号に関する情報をサーバに提供することを特徴とする請求項１に記載の仮想ボタンを用いたサービス要請システム。
【請求項５】
前記ユーザ機器は、
前記仮想ボタンが表示される画面の一側にユーザの要請事項を直接入力できるようにする入力窓を表示することを特徴とする請求項１に記載の仮想ボタンを用いたサービス要請システム。
【請求項６】
前記サーバは、
各売り場に対応する複数個の売り場別仮想ボタン情報を保存する保存部と、
前記ユーザ機器から売り場コードが受信されれば、受信された売り場コードにマッチングされる売り場別仮想ボタン情報を検索する仮想ボタン検索部と、
を備えることを特徴とする請求項１に記載の仮想ボタンを用いたサービス要請システム。
【請求項７】
前記職員用機器は、
仮想ボタンを用いて複数個の要請が発生された場合、各要請事項を信号が発生された順序によって目録形態で表示することを特徴とする請求項１に記載の仮想ボタンを用いたサービス要請システム。
【請求項８】
前記ユーザ機器は、
仮想ボタンアプリケーションの実行要請が発生すれば、ログイン画面を表示し、ログインを行う他のサーバの種類及びアカウント情報を選択する動作を要請し、ユーザからアカウント情報が確認されれば、前記ブルートゥース信号機から受信される売り場コードを受信する動作を行うことを特徴とする請求項１に記載の仮想ボタンを用いたサービス要請システム。
【請求項９】
前記サーバは、
売り場で仮想ボタンを編集できるように支援する編集プログラムを保存し、
前記編集プログラムは、テーブル番号認識方法をＮＦＣとキューアールコードのうち、選択する機能、仮想ボタンに対応するサービス要請事項を変更する機能、仮想ボタンを追加及び削除する機能、仮想ボタンを選択する場合に行われる動作の種類を選択する機能のうち、少なくとも１つを含んで構成されることを特徴とする請求項１に記載の仮想ボタンを用いたサービス要請システム。
【請求項１０】
前記仮想ボタンを選択する場合に行われる動作の種類は、
当該ボタンに対応する要請事項を職員用機器にメッセージで知らせる動作及び当該ボタンに対応する要請事項を解決するための外部ＵＲＬを連結する動作のうち、少なくとも１つを含むことを特徴とする請求項９に記載の仮想ボタンを用いたサービス要請システム。
【請求項１１】
サービス要請方法において、
ユーザ機器が仮想ボタンアプリケーションを実行するステップと、
ブルートゥース信号機から発生されたビーコン信号内の売り場コードを前記ユーザ機器が受信するステップと、
サーバが前記ユーザ機器から前記売り場コードを受信すれば、前記売り場コードに対応する売り場別仮想ボタン情報を前記サーバが検索するステップと、
前記サーバが前記検索された売り場別仮想ボタン情報を前記ユーザ機器に送信するステップと、
前記ユーザ機器が、ユーザから前記売り場別仮想ボタン情報が表示される画面上で特定ボタンが選択されることを感知すれば、テーブル番号を受信するための動作要請画面を表示するステップと、
ＮＦＣ接触またはＱＲコード認識を介してテーブル番号をユーザ機器が受信するステップと、
前記ユーザ機器で前記受信されたテーブル番号及びボタン選択情報を前記ユーザ機器が前記サーバに送信するステップと、
前記サーバが職員用機器に前記テーブル番号及びボタン選択情報を送信するステップと、
前記ユーザ機器が、前記仮想ボタンが表示される画面において仮想ボタンが選択される前と、仮想ボタンが選択された後とを区分して表示し、特定仮想ボタンが選択された後、売り場の職員が確認する前と売り場の職員が確認した後との状態を区分して表示するステップと、
を含むことを特徴とする仮想ボタンを用いたサービス要請方法。
【発明の詳細な説明】
【技術分野】
【０００１】
本発明の様々な実施形態は、ユーザの端末機上に表示される仮想ボタンを用いて売り場の職員を呼び出し、注文、要請を伝達するシステム及び方法に関するものである。より詳細には、本発明の様々な実施形態は、売り場別にサービス内容が記載された仮想ボタンを備える仮想ボタンアプリケーションを用いて売り場で職員を呼び出すとき、呼び出し信号とともに要請しようとするサービス内容を売り場側に伝達するシステム及び方法に関するものである。
【背景技術】
【０００２】
食堂、病院、ホテルなどの場所で従業員または管理者達を呼び出したり、サービスを要請するために呼び出しベルを使用する場合を周辺で容易に接することができる。このとき、呼び出しベルの動作方式は、ＲＦ（ＡＭまたはＦＭ）送信方式、低電力ブルートゥース（登録商標）技術に基づいたビーコン（Ｂｅａｃｏｎ）信号を送信する方式などが使用されている。しかしながら、このような呼び出しベルを用いて売り場で職員を呼び出す従来の方式は、呼び出しの理由について知らせずに、単純に呼び出し信号のみ伝達するので、サービス実行段階が種々の段階で進まれるようになる。例えば、顧客が職員を呼び出すと、職員は、顧客のテーブルに到着してサービス要請事項について先に説明を聞くようになる。その後、職員は、当該サービスを行うために、再度顧客のテーブルに接近する動作を行うようになる。このように、売り場において従来の方式で職員を呼び出す場合、不要な時間と費用を消費するようになる。また、必ずしも呼び出しや要請を伝達するためのハードウェアデバイスがテーブルに取り付けられていなければならない。
【発明の概要】
【発明が解決しようとする課題】
【０００３】
本発明は、上記のような問題を解決するために案出されたものであって、特定売り場を利用する顧客が呼び出しベルを介して職員を呼び出そうとするとき、呼び出し信号だけでなく、呼び出しの理由に該当する要請事項を共に送信するために、ユーザ機器に仮想ボタンを提供し、別のハードウェアなしに仮想ボタンだけで職員を呼び出したり、サービス要請をするための方法及びシステムを提供できる。
【課題を解決するための手段】
【０００４】
本発明の実施形態に係る仮想ボタンを用いたサービス要請システムは、売り場コードをユーザ機器に伝達するブルートゥース信号機、仮想ボタンアプリケーションを実行し、前記仮想ボタンアプリケーションが実行された状態で前記売り場コードを受信すれば、サーバに前記売り場コードを再送信し、サーバから前記売り場コードに対応する仮想ボタンを受信し、前記仮想ボタンのうち、１つのボタンが選択されれば、テーブル番号を受信するための動作要請画面を表示し、テーブル番号を受信することでテーブル番号及びボタン選択情報をサーバに提供するユーザ機器、前記ユーザ機器から受信された売り場コードに対応する仮想ボタンを検索してユーザ機器に送信し、前記ユーザ機器からテーブル番号、ボタン選択情報が受信されれば、これを職員用機器に送信するサーバ、前記サーバから前記テーブル番号及びボタン選択情報を受信する職員用機器、及び前記テーブル番号をユーザ機器に送信する呼び出しベルを備えることができる。
【０００５】
本発明の実施形態に係る仮想ボタンを用いたサービス要請方法は、ユーザ機器で仮想ボタンアプリケーションを実行するステップと、ブルートゥース信号機から発生されたビーコン信号内の売り場コードを前記ユーザ機器で受信するステップと、サーバが前記ユーザ機器から前記売り場コードを受信すれば、前記売り場コードに対応する売り場別仮想ボタン情報を検索するステップと、前記サーバが前記検索された売り場別仮想ボタン情報を前記ユーザ機器に送信するステップと、前記ユーザ機器がユーザから前記売り場別仮想ボタン情報が表示される画面上で特定ボタンが選択されることを感知すれば、テーブル番号を受信するための動作要請画面を表示するステップと、ＮＦＣ接触またはＱＲコード認識を介してテーブル番号をユーザ機器が受信するステップと、前記ユーザ機器で前記受信されたテーブル番号及びボタン選択情報を前記サーバに送信するステップと、前記サーバにおいて職員用機器に前記テーブル番号及びボタン選択情報を送信するステップとを含むことができる。
【発明の効果】
【０００６】
本発明は、売り場を利用する顧客が売り場の職員を呼び出す当時に、呼び出しの理由について共に伝達することで、不要な動きと時間を消費しないようにする。また、売り場では、別のハードウェア購買及びテーブルに取り付ける必要なく、ユーザのデバイス上のアプリケーションを介して直接要請の伝達が可能である。
【０００７】
本発明は、売り場側で事業場の特色に合うように仮想ボタンを選択するとき、表示される要請内容を変更できるようにするので、様々な企業で各企業に合う合わせ型呼び出しベルを適用できる。
【図面の簡単な説明】
【０００８】
【図１】本発明の実施形態に係る仮想ボタンを用いた呼び出しシステムの構成を示した構成図である。
【図２】本発明の実施形態に係る前記サーバの構成を示したブロック図である。
【図３】本発明の実施形態に係るユーザ機器の構成を示したブロック図である。
【図４】本発明の実施形態に係る仮想ボタンアプリケーションを用いた売り場の職員呼び出しの順序を示したフローチャートである。
【図５】本発明の実施形態に係る仮想ボタンアプリケーションで売り場コードを受信する動作を示した図である。
【図６】本発明の実施形態に係る仮想ボタンを介してサービスを要請する動作を示した図である。
【図７】本発明の実施形態に係る仮想ボタンのうち、選択されたボタンの例示を示した図である。
【図８】本発明の実施形態に係る仮想ボタンアプリケーション動作でＮＦＣが認識されない場合の例示を示した図である。
【図９】本発明の実施形態に係る仮想ボタンアプリケーションで直接要請事項を入力する動作を示した図である。
【図１０】本発明の実施形態に係る職員用機器での動作を示した図である。
【図１１】本発明の実施形態に係るログイン動作を示した図である。
【図１２】本発明の実施形態に係るログイン動作を示した図である。
【図１３】本発明の実施形態に係る売り場側で仮想ボタンを設定する動作について示した図である。
【発明を実施するための形態】
【０００９】
以下、本発明に係る好ましい実施形態を添付された図面を参照して詳細に説明する。添付された図面とともに、以下に開示される詳細な説明は、本発明の例示的な実施形態を説明しようとするものであり、本発明が実施され得る唯一の実施形態を表そうとするものではない。
【００１０】
ただし、本実施形態等は、本発明の開示が完全なようにし、本発明の属する技術分野における通常の知識を有する者に発明の範疇を完全に知らせるために提供されるものであり、本発明は、請求項の範疇により定義されるだけである。
【００１１】
いくつかの場合、本発明の概念が曖昧になることを避けるために、公知の構造及び装置は省略されるか、各構造及び装置の核心機能を中心としたブロック図の形式で図示されることができる。また、本明細書の全体において同じ構成要素に対しては、同じ図面符号を使用して説明する。
【００１２】
明細書全体において、ある部分がある構成要素を「含む（ｃｏｍｐｒｉｓｉｎｇまたはｉｎｃｌｕｄｉｎｇ）」とするとき、これは、特に反対される記載がない限り、他の構成要素を除外するものではなく、他の構成要素をさらに含むことができるということを意味する。
【００１３】
また、明細書に記載された「．．．部」の用語は、少なくとも１つの機能や動作を処理する単位を意味し、これは、ハードウェアやソフトウェア、またはハードウェア及びソフトウェアの組み合わせで実現されることができる。さらには、「一（ａまたはａｎ）」、「１つ（ｏｎｅ）」、及び類似関連語は、本発明を記述する文脈において本明細書に他に指示されるか、文脈により明らかに反駁されない限り、単数及び複数の両方を含む意味で使用されることができる。
【００１４】
合わせて、本発明の実施形態等で使用される特定用語等は、本発明の理解を助けるために提供されたものであり、別に定義されない限り、技術的であるか、科学的な用語を含んで、ここで使用されるあらゆる用語等は、本発明の属する技術分野における通常の知識を有する者により一般的に理解されることと同様の意味を有している。このような特定用語の使用は、本発明の技術的思想を逸脱しない範囲で他の形態に変更されることができる。
【００１５】
以下、本発明に係る好ましい実施形態を添付された図面を参照して詳細に説明する。添付された図面とともに、以下に開示される詳細な説明は、本発明の例示的な実施形態を説明しようとするものであり、本発明が実施され得る唯一の実施形態を表そうとするものではない。
【００１６】
図１は、本発明の実施形態に係る仮想ボタンを用いた呼び出しシステムの構成を示した構成図である。
【００１７】
図１に示すように、本発明が適用され得る有線及び／又は無線通信環境は、職員用機器１００、サーバ２００、ユーザ機器３００、呼び出しベル４００、売り場用ブルートゥース信号機５００を備えてなることができる。
【００１８】
ただし、以下において言及される有無線ネットワーク環境は、図１に構成された要素のうち、少なくとも１つを含むが、必ずしもこれに限定されるものではなく、本発明が適用され得る有無線通信ネットワーク環境では、１つ以上のユーザ機器、１つ以上の職員用機器、１つ以上の呼び出しベル、１つ以上の売り場用ブルートゥース信号機、１つ以上のサーバ、及び１つ以上のネットワークが存在し得るし、それぞれのユーザ機器及びサーバ間は、互いに異なるネットワークを介して連結されることができる。
【００１９】
職員用機器１００及びユーザ機器３００は、本発明の一実施形態において通信信号を送受信できる装置を意味し、本発明において前記職員用機器１００及びユーザ機器３００は、有線または無線共有機接続情報を送受信できる端末を全て含む概念と解釈されることができる。
【００２０】
このとき、前記職員用機器１００及びユーザ機器３００には、１つ以上のプログラム（ｐｒｏｇｒａｍ）またはアプリケーション（Ａｐｐｌｉｃａｔｉｏｎ）が設置されていることができ、特に、本発明の一実施形態である仮想ボタンを提供して、サービス要請事項が含まれた呼び出し信号を送信することと関連したＡＰＩ（Ａｐｐｌｉｃａｔｉｏｎ  Ｐｒｏｇｒａｍ  Ｉｎｔｅｒｆａｃｅ）または組込みソフトウェア（Ｅｍｂａｄｅｄ  Ｓｏｆｔｗａｒｅ）を含むアプリケーションが設置されていることができる。
【００２１】
前記職員用機器１００及びユーザ機器３００は、前記ユーザ機器が自体的にあるいは前記設置された１つ以上のプログラムまたはアプリケーションを介してサーバ２００にデータまたは信号を送信したり、受信することができ、前記送信されたり、受信されたデータまたは信号は、本発明の一実施形態である仮想ボタンに対応するサービス要請信号及びこれと関連したものでありうる。
【００２２】
前記ユーザ機器３００は、スマートフォン（Ｓｍａｒｔ  Ｐｈｏｎｅ）、ＰＣ（Ｐｅｒｓｏｎａｌ  Ｃｏｍｐｕｔｅｒ）、ノートパソコン、タブレットＰＣ（Ｔａｂｌｅｔ  Ｐｅｒｓｏｎａｌ  Ｃｏｍｐｕｔｅｒ）、移動電話機、映像電話機、電子書籍リーダー（Ｅ−ｂｏｏｋ  Ｒｅａｄｅｒ）、モバイル医療機器、カメラ、ウェアラブル装置、ターミナル（Ｔｅｒｍｉｎａｌ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）、ＡＭＳ（Ａｄｖａｎｃｅｄ  Ｍｏｂｉｌｅ  Ｓｔａｔｉｏｎ）、ＷＴ（Ｗｉｒｅｌｅｓｓ  ｔｅｒｍｉｎａｌ）、ＭＴＣ（Ｍａｃｈｉｎｅ−Ｔｙｐｅ  Ｃｏｍｍｕｎｉｃａｔｉｏｎ）装置、Ｍ２Ｍ（Ｍａｃｈｉｎｅ−ｔｏ−Ｍａｃｈｉｎｅ）装置、Ｄ２Ｄ装置（Ｄｅｖｉｃｅ−ｔｏ−Ｄｅｖｉｃｅ）装置のうち、少なくとも１つを含むことができる。
【００２３】
前記職員用機器１００は、ウェアラブルデバイス（Ｗｅａｒａｂｌｅ  ｄｅｖｉｃｅ）を備えることができ、様々な実施形態によって前記ウェアラブルデバイスは、アクセサリ型（例えば、時計、指輪、腕輪、足輪、ネックレス、眼鏡、コンタクトレンズ、または頭部装着型装置（Ｈｅａｄ  Ｍｏｕｎｔｅｄ  Ｄｅｖｉｃｅ））のうち、１つを含むことができる。
【００２４】
勿論、あくまでもこれは例示に過ぎず、本発明におけるユーザ機器は、上述した例示の他にも、現在開発されて商用化されたり、または今後開発されるデータまたは信号送信が可能な全ての装置を含む概念と解釈されなければならない。
【００２５】
さらに、図１に示すように、サーバ２００は、有線または無線通信環境を介して少なくとも１つ以上の他の装置とデータ送受信が可能なオブジェクトを意味し、本発明において前記サーバ２００は、中継サーバ、仲介サーバ、及び／又はクライアントサーバをさらに備えることができる。
【００２６】
また、前記サーバ２００の一例に、クラウド（Ｃｌｏｕｄ）サーバ、ＩＭＳ（ＩＰ  Ｍｕｌｔｉｍｅｄｉａ  Ｓｕｂｓｙｓｔｅｍ）サーバ、テレフォニアプリケーション（Ｔｅｌｅｐｈｏｎｙ  Ａｐｐｌｉｃａｔｉｏｎ）サーバ、ＩＭ（Ｉｎｓｔａｎｔ  Ｍｅｓｓａｇｉｎｇ）サーバ、ＭＧＣＦ（Ｍｅｄｉａ  Ｇａｔｅｗａｙ  Ｃｏｎｔｒｏｌ  Ｆｕｎｃｔｉｏｎ）サーバ、ＭＳＧ（Ｍｅｓｓａｇｉｎｇ  Ｇａｔｅｗａｙ）サーバ、ＣＳＣＦ（Ｃａｌｌ  Ｓｅｓｓｉｏｎ  Ｃｏｎｔｒｏｌ  Ｆｕｎｃｔｉｏｎ）サーバを備えることができ、前記サーバ２００は、ＰＣ（Ｐｅｒｓｏｎａｌ  Ｃｏｍｐｕｔｅｒ）、ノートパソコン、タブレットＰＣ（Ｔａｂｌｅｔ  Ｐｅｒｓｏｎａｌ  Ｃｏｍｐｕｔｅｒ）など、データを送受信できるオブジェクトを指す装置で実現されることができる。
【００２７】
一方、職員用機器１００及びユーザ機器３００は、サーバ２００間のデータ送受信のためのデータ通信網を意味し、その種類は特に制限されない。
【００２８】
例えば、インターネットプロトコル（ＩＰ）を介して大容量データの送受信サービスを提供するＩＰ（Ｉｎｔｅｒｎｅｔ  Ｐｒｏｔｏｃｏｌ）網または互いに異なるＩＰ網を統合したオールＩＰ（Ａｌｌ  ＩＰ）網でありうる。
【００２９】
また、前記図１において、サーバ２００は、システム運営社５０と通信することができ、前記システム運営社５０は、サーバ２００の運営を全般的に管理するために、サーバ２００に情報を入力するか、サーバ２００の情報を修正することができる。また、前記システム運営社５０は、本発明の実施形態に係るアプリケーションのバージョン、アップグレードなどに関して管理し、変更された情報をサーバ２００に伝達することができる。そして、前記システム運営社５０は、サーバ２００に登録された全体売り場用入力システムを構築し、これを活用して売り場別管理を行うことができる。例えば、前記システム運営社５０は、全体売り場用共通ボタンを先に製作し、当該情報をサーバ２００に保存することができる。そして、前記システム運営社５０は、様々な実施形態によって、売り場側の依頼にしたがってイベント及び広告用仮想ボタンを製作し、これを提供することができる。また、前記システム運営社５０は、個別売り場７０側で仮想ボタンを設定できるようにする設定のための基本フォーマットを生成し、これをサーバ２００側に提供することができる。
【００３０】
前記システム運営社５０で提供したフォーマットに基づいて、個別売り場側でもサーバ２００に情報を入力するか、変更することが可能である。個別売り場７０側は、売り場側に付与された権限下でサーバ２００内の情報を変更及び削除またはサーバ２００に新しい情報を登録することが可能である。例えば、前記個別売り場７０は、基本提供される仮想ボタンから一部を削除し、売り場で頻繁に要請されるサービス内容を含む仮想ボタンを生成させることができ、変更された内容は、前記サーバ２００に保存されることができる。
【００３１】
図２は、本発明の実施形態に係る前記サーバの構成を示したブロック図である。
【００３２】
前記サーバ２００は、通信部２１０、保存部２２０、制御部２３０を備えて構成されることができる。そして、前記保存部２２０は、売り場別仮想ボタン情報２２１を含み、前記制御部２３０は、仮想ボタン検索部２３１を含んで構成されることができる。
【００３３】
本発明の実施形態に係る前記通信部２１０は、職員用機器１００及びユーザ機器３００と通信を行うことができる。前記通信部２１０は、ユーザ機器３００から仮想ボタンの入力信号を受信すれば、当該信号に対応する売り場側の職員用機器１００にユーザ機器３００で受信された呼び出しベルＩＤ（テーブル番号に該当）とボタン選択情報とを送信することができる。また、前記通信部２１０は、ユーザが仮想ボタンアプリケーションを用いてサーバ２００に接続した場合、現在ユーザが位置した売り場情報を受信することができる。そして、前記通信部２１０は、制御部２３０の制御下にユーザが位置した売り場で生成した仮想ボタン情報をユーザ機器３００に送信することができる。これにより、ユーザは、ユーザ機器３００のアプリケーション上で本人が位置した売り場の仮想ボタンを確認することができる。
【００３４】
前記保存部２２０は、オペレーティングシステム（ｏｐｅｒａｔｉｎｇ  ｓｙｓｔｅｍ）、アプリケーション、及び一般ファイル（ｇｅｎｅｒａｌ  ｆｉｌｅｓ）などを保存することができる。例えば、前記保存部２２０は、ユーザ機器３００側に仮想ボタンアプリケーションを提供することと関連したファイル及びオペレーティングシステムを保存することができる。前記保存部２２０は、本発明の実施形態によって、売り場別仮想ボタン情報２２１を含んで保存することができる。前記売り場別仮想ボタン情報２２１は、各売り場で設定した内容が反映されて生成されることができる。
【００３５】
前記制御部２３０は、サーバ２００で行われる動作の全般を制御できる。前記制御部２３０は、プロセッサ（Ｐｒｏｃｅｓｓｏｒ）、コントローラ（ｃｏｎｔｒｏｌｌｅｒ）、マイクロコントローラ（ｍｉｃｒｏｃｏｎｔｒｏｌｌｅｒ）、マイクロプロセッサ（ｍｉｃｒｏｐｒｏｃｅｓｓｏｒ）、マイクロコンピュータ（ｍｉｃｒｏｃｏｍｐｕｔｅｒ）などと呼ばれることができる。一方、制御部２３０は、ハードウェア（ｈａｒｄｗａｒｅ）またはファームウェア（ｆｉｒｍｗａｒｅ）、ソフトウェア、または、これらの組み合わせにより実現されることができる。
【００３６】
ファームウェアやソフトウェアによる実現の場合、本発明の一実施形態は、以上で説明された機能または動作を行うモジュール、手順、関数などの形態で実現されることができる。ソフトウェアコードは、保存部２２０に保存されて、制御部２３０により駆動されることができる。保存部２２０は、前記ユーザ機器３００及びサーバ２００の内部または外部に位置することができ、既に公知された様々な手段により前記制御部２３０とデータをやり取りすることができる。
【００３７】
本発明の実施形態に係る前記制御部２３０は、仮想ボタンアプリケーションを実行したユーザ機器３００が位置した売り場情報を判断し、当該売り場に対応する売り場別仮想ボタン情報２２１を検索できる。そして、前記制御部２３０は、前記検索された売り場別仮想ボタン情報２２１を前記ユーザ機器３００に伝達して、ユーザが特定売り場で各売り場に対応する仮想ボタンを用いることができるように支援することができる。また、前記制御部２３０は、仮想ボタンアプリケーションを用いるユーザが仮想ボタンを押して売り場側にサービスを要請する場合、当該要請に対する信号を受信し、これを当該売り場側の職員用機器側に送信することができる。
【００３８】
図３は、本発明の実施形態に係るユーザ機器の構成を示したブロック図である。
【００３９】
ユーザ機器３００は、通信部３１０、カメラ部３２０、表示部３３０、入力部３４０、保存部３５０、制御部３６０を備えて構成されることができる。そして、前記保存部３５０は、仮想ボタンアプリケーション３５１を保存することができる。
【００４０】
前記通信部３１０は、その他の電子機器及びサーバと有無線通信を行うことができる。本発明の実施形態に係る前記通信部３１０は、売り場側で提供する売り場コード、呼び出しベルＩＤなどの情報を受信し、サーバ２００と通信することができる。前記通信部３１０は、ＬＴＥモジュール３１１を備えることができる。前記通信部３１０は、ＬＴＥの他にも、セルラー通信プロトコルとして、例えば、ＬＴＥ−Ａ（ＬＴＥ  Ａｄｖａｎｃｅ）、ＣＤＭＡ（ｃｏｄｅ  ｄｉｖｉｓｉｏｎ  ｍｕｌｔｉｐｌｅ  ａｃｃｅｓｓ）、ＷＣＤＭＡ（登録商標）（ｗｉｄｅｂａｎｄ  ＣＤＭＡ）、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）、ＷｉＢｒｏ（Ｗｉｒｅｌｅｓｓ  Ｂｒｏａｄｂａｎｄ）、またはＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）などのうち、少なくとも１つを使用することができる。また、前記通信部３１０は、近距離通信機能を行うモジュールを備えることができる。近距離通信を行うモジュールは、ＷｉＦｉ（ｗｉｒｅｌｅｓｓ  ｆｉｄｅｌｉｔｙ）モジュール３１２、ＮＦＣ（ｎｅａｒ  ｆｉｅｌｄ  ｃｏｍｍｕｎｉｃａｔｉｏｎ）モジュール３１３、ブルートゥース（Ｂｌｕｅｔｏｏｔｈ（登録商標））モジュール３１４が該当し得る。その他にも、前記通信部３１０は、図面に図示してはいないが、ＧＮＳＳ（ｇｌｏｂａｌ  ｎａｖｉｇａｔｉｏｎ  ｓａｔｅｌｌｉｔｅ  ｓｙｓｔｅｍ）モジュールをさらに備えることができる。ＧＮＳＳモジュールは、使用地域または帯域幅などによって、例えば、ＧＰＳ（Ｇｌｏｂａｌ  Ｐｏｓｉｔｉｏｎｉｎｇ  Ｓｙｓｔｅｍ）、Ｇｌｏｎａｓｓ（Ｇｌｏｂａｌ  Ｎａｖｉｇａｔｉｏｎ  Ｓａｔｅｌｌｉｔｅ  Ｓｙｓｔｅｍ）、Ｂｅｉｄｏｕ  Ｎａｖｉｇａｔｉｏｎ  Ｓａｔｅｌｌｉｔｅ  Ｓｙｓｔｅｍ（以下、「Ｂｅｉｄｏｕ」）、またはＧａｌｉｌｅｏ、ｔｈｅ  Ｅｕｒｏｐｅａｎ  ｇｌｏｂａｌ  ｓａｔｅｌｌｉｔｅ−ｂａｓｅｄ  ｎａｖｉｇａｔｉｏｎ  ｓｙｓｔｅｍのうち、少なくとも１つを含むことができる。以下、本文書では、有線通信は、例えば、ＵＳＢ（ｕｎｉｖｅｒｓａｌ  ｓｅｒｉａｌ  ｂｕｓ）、ＨＤＭＩ（登録商標）（ｈｉｇｈ  ｄｅｆｉｎｉｔｉｏｎ  ｍｕｌｔｉｍｅｄｉａ  ｉｎｔｅｒｆａｃｅ）、ＲＳ−２３２（ｒｅｃｏｍｍｅｎｄｅｄ  ｓｔａｎｄａｒｄ２３２）、またはＰＯＴＳ（ｐｌａｉｎ  ｏｌｄ  ｔｅｌｅｐｈｏｎｅ  ｓｅｒｖｉｃｅ）などのうち、少なくとも１つを含むことができる。ネットワークは、通信ネットワーク（ｔｅｌｅｃｏｍｍｕｎｉｃａｔｉｏｎｓ  ｎｅｔｗｏｒｋ）、例えば、コンピューターネットワーク（ｃｏｍｐｕｔｅｒ  ｎｅｔｗｏｒｋ）（例えば、ＬＡＮまたはＷＡＮ）、インターネット、または電話網（ｔｅｌｅｐｈｏｎｅ  ｎｅｔｗｏｒｋ）のうち、少なくとも１つを含むことができる。
【００４１】
前記カメラ部３２０は、静止画像及び動画像を撮影できる装置であって、１つの実施形態によれば、１つ以上のイメージセンサ（例えば、前面センサまたは後面センサ）、レンズ、ＩＳＰ（ｉｍａｇｅ  ｓｉｇｎａｌ  ｐｒｏｃｅｓｓｏｒ）、またはフラッシュ（ｆｌａｓｈ）（例えば、ＬＥＤまたはｘｅｎｏｎ  ｌａｍｐ等）を含むことができる。
【００４２】
本発明の実施形態に係る前記カメラ部３２０は、売り場側で提供するキューアール（ＱＲ）コードを撮影し、これに対するイメージ情報を制御部２６０に伝達することができる。前記キューアールコードは、仮想ボタンアプリケーションを実行させるためのイベントまたは仮想ボタンアプリケーション上でユーザにより選択された特定ボタンに該当するサービス要請を送信するためのイベントとして使用されることができる。
【００４３】
前記表示部３３０は、例えば、液晶ディスプレイ（ｌｉｑｕｉｄ  ｃｒｙｓｔａｌ  ｄｉｓｐｌａｙ（ＬＣＤ））、発光ダイオード（ｌｉｇｈｔｅｍｉｔｔｉｎｇ  ｄｉｏｄｅ（ＬＥＤ））ディスプレイ、有機発光ダイオード（ｏｒｇａｎｉｃ  ｌｉｇｈｔ−ｅｍｉｔｔｉｎｇ  ｄｉｏｄｅ（ＯＬＥＤ））ディスプレイ、またはマイクロ電子機械システム（ｍｉｃｒｏｅｌｅｃｔｒｏｍｅｃｈａｎｉｃａｌ  ｓｙｓｔｅｍｓ（ＭＥＭＳ））ディスプレイ、または電子ペーパー（ｅｌｅｃｔｒｏｎｉｃ  ｐａｐｅｒ）ディスプレイを備えることができる。表示部３３０は、例えば、ユーザに各種コンテンツ（例えば、テキスト、イメージ、ビデオ、アイコン、またはシンボル等）を表示できる。表示部３３０は、タッチスクリーンを備えることができ、例えば、電子ペンまたはユーザの身体の一部を用いたタッチ、ジェスチャ、近接、またはホバーリング入力を受信することができる。また、表示部３３０は、柔軟に（ｆｌｅｘｉｂｌｅ）、透明に（ｔｒａｎｓｐａｒｅｎｔ）、または着用できるように（ｗｅａｒａｂｌｅ）実現されることができる。
【００４４】
前記入力部３４０は、ユーザまたは他の外部機器から入力された命令またはデータを機器の他の構成要素に伝達できる役割をすることができる。前記入力部３４０は、例えば、タッチパネル（ｔｏｕｃｈ  ｐａｎｅｌ）、（デジタル）ペンセンサ、キー（ｋｅｙ）、マイクを備えることができる。前記タッチパネルは、例えば、静電式、減圧式、赤外線方式、または超音波方式のうち、少なくとも１つの方式を使用することができる。また、タッチパネルは、制御回路をさらに備えることもできる。タッチパネルは、タクタイルレイヤ（ｔａｃｔｉｌｅ  ｌａｙｅｒ）をさらに備え、ユーザに触覚反応を提供することができる。（デジタル）ペンセンサは、例えば、タッチパネルの一部であるか、別の認識用シート（ｓｈｅｅｔ）を備えることができる。キーは、例えば、物理的なボタン、光学式キー、またはキーパッドを備えることができる。そして、前記入力部３４０は、ユーザの音声及びその他、サウンドを入力するマイクを備えることができる。前記入力部３４０は、タッチスクリーンの形態で実現される場合、１つの領域で表示部３３０の機能を共に果たすことができる。
【００４５】
本発明の実施形態に係る前記入力部３４０は、仮想ボタンを選択するユーザの入力を受信することができる。また、前記入力部３４０は、仮想ボタンアプリケーション３５１を実行した状態でユーザが要請事項を直接入力しようとする場合、ユーザが入力するテキスト入力を受信することができる。また、前記入力部３４０は、仮想ボタンアプリケーション３５１を実行した状態でユーザが要請事項を音声により入力しようとする場合、ユーザの発話メッセージをマイクを介して入力し、これを制御部に伝達することができる。
【００４６】
前記保存部３５０は、内蔵メモリ及び外付けメモリを備えることができる。内蔵メモリは、例えば、揮発性メモリ、不揮発性メモリ、フラッシュメモリ、ハードドライブのうち、少なくとも１つを備えることができる。外付けメモリは、フラッシュドライブ、例えば、ＣＦ（ｃｏｍｐａｃｔ  ｆｌａｓｈ）、ＳＤ（ｓｅｃｕｒｅ  ｄｉｇｉｔａｌ）、Ｍｉｃｒｏ−ＳＤ（ｍｉｃｒｏ  ｓｅｃｕｒｅ  ｄｉｇｉｔａｌ）、Ｍｉｎｉ−ＳＤ（ｍｉｎｉ  ｓｅｃｕｒｅ  ｄｉｇｉｔａｌ）、または、メモリスティック（ｍｅｍｏｒｙ  ｓｔｉｃｋ）などをさらに備えることができる。外付けメモリは、様々なインターフェースを介して電子装置と機能的に及び／又は物理的に連結されることができる。
【００４７】
本発明の実施形態に係る前記保存部３５０は、仮想ボタンアプリケーション３５１を保存することができる。前記保存部３５０は、特定売り場に進入した場合、当該売り場に設けられたブルートゥース信号機から受信したビーコン情報内の売り場コード情報を仮に保存することができる。
【００４８】
前記制御部３６０は、ユーザ機器３００の動作を全般的に制御することができる。前記制御部３６０は、本発明の実施形態によって仮想ボタンアプリケーション３５１の実行に関連した動作を制御できる。例えば、前記制御部３６０は、売り場用ブルートゥース信号機から売り場コードが送信されれば、前記売り場コードをサーバ２００に伝達するように制御することができる。そして、サーバ２００において前記売り場コードに対応する売り場別仮想ボタンを検索した後、ユーザ機器３００側へ送ると、前記制御部３６０は、これを表示部３３０に表示するように制御することができる。
【００４９】
また、前記制御部３６０は、前記仮想ボタンアプリケーションが実行された状態でユーザが特定仮想ボタンを選択する場合、当該ボタンに対応するサービス要請メッセージを売り場の職員用機器に伝達するための一連の動作を行うことができる。
【００５０】
図４は、本発明の実施形態に係る仮想ボタンアプリケーションを用いた売り場の職員呼び出しの順序を示したフローチャートである。
【００５１】
図４に示すように、仮想ボタンアプリケーションを用いたサービス要請システムは、職員用機器１００、サーバ２００、ユーザ機器３００、呼び出しベル４００、売り場用ブルートゥース信号機５００を備えて構成されることができる。
【００５２】
本発明の実施形態に係るシステムにおいて仮想ボタン利用順序は、次のとおりである。まず、ユーザ機器３００は、仮想ボタンアプリケーションを実行する動作４０１を行うことができる。このとき、ユーザは、特定売り場に進入して売り場用ブルートゥース信号機５００の信号範囲内にあると仮定する。そして、売り場用ブルートゥース信号機５００は、一定時間の間隔で信号範囲内にある機器等にビーコン信号を伝達できる。このとき、ビーコン信号は、売り場関連アプリ（例えば、メンバーシップアプリ）と連動してユーザ機器側に広告メッセージなどを表示させる役割を行うことができる。本発明の実施形態に係る前記売り場用ブルートゥース信号機５００は、売り場コードを含むビーコン信号をユーザ機器３００側に送信することができる。
【００５３】
しかし、本発明の様々な実施形態によってブルートゥース信号機５００が存在しないとしても、様々な方法により売り場コードがユーザ機器３００側に伝達され得る。例えば、ユーザ機器３００は、ＮＦＣ方式にてデータを送信する装置により売り場コードを受信することができる。この場合、ユーザ機器３００は、前記装置と物理的接触を介してＮＦＣ通信を行うことができる。前記ＮＦＣ通信を行う装置は、売り場の一領域に存在したり、またはテーブルに備えられた特定装置でありうる。または、前記ＮＦＣ通信で売り場コードを送信する装置は、例えば、呼び出しベルになることもできる。
【００５４】
また、ユーザ機器３００は、売り場内に備えられたＱＲコード（登録商標）を認識する方式で売り場コードを受信することもできる。その他にも、ユーザ機器３００は、様々な方式により売り場コードを受信することができる。
【００５５】
ユーザ機器３００が売り場コードを受信すれば、前記ユーザ機器３００は、前記受信した売り場コードを仮想ボタンアプリケーションを提供するサーバ２００側に送信する動作４０５を行うことができる。
【００５６】
前記動作後、サーバ２００は、前記受信された売り場コードに基づいて売り場別仮想ボタンを検索する動作４０７を行うことができる。このとき、前記サーバ２００は、受信された売り場コードに対応する仮想ボタンを再度ユーザ機器３００側に送信する動作４０９を行うことができる。前記動作によって、例えば、ユーザ機器３００では、仮想ボタンアプリケーションが実行された後、売り場コードが送信されれば、当該売り場に対する認識が完了したというメッセージを表示でき、当該売り場用仮想ボタンイメージが表示部に表示され得る。
【００５７】
当該売り場の仮想ボタンがユーザ機器３００に伝達されれば、ユーザ機器３００において仮想ボタンが画面に表示され得る。その後、ユーザが前記仮想ボタンのうち、特定ボタンを選択する動作４１１を行った後、これを売り場用呼び出しベル４００に接触させてＮＦＣタギングを実行する動作４１３を行うことができる。この場合、呼び出しベル４００に内蔵されたＮＦＣモジュールによりＮＦＣタグ動作が行われ得るが、このとき、前記呼び出しベル４００のＩＤ情報がＮＦＣモジュールを介してユーザ機器３００側に伝達される動作４１５が行われ得る。
【００５８】
ユーザ機器３００は、ユーザ機器３００と呼び出しベル４００との接触を、ユーザが仮想ボタンにより売り場の職員を呼び出すためのイベントと認識することができる。したがって、前記ユーザ機器３００は、画面に表示された仮想ボタンから特定ボタンを選択した場合、直ちにサーバ２００側に当該信号を送信せずに、テーブルに備えられた呼び出しベル４００に接触された場合にのみ、これを呼び出しのためのイベントと認識し、サーバ２００に信号を送信することができる。
【００５９】
したがって、前記ユーザ機器３００は、呼び出しベル４００と接触してテーブル番号に該当する呼び出しベルＩＤを受信すれば、受信された呼び出しベルＩＤ（テーブル番号）とボタン選択情報（例えば、お水をください）をサーバに送信する動作４１７を行うことができる。そして、前記サーバ２００は、再度受信された呼び出しベルＩＤ（テーブル番号）とボタン選択情報を職員用機器１００に送信する動作４１９を行うことができる。
【００６０】
その他の様々な方式の信号伝達順序を介して仮想ボタンを用いたサービス要請動作が行われ得る。例えば、ユーザは、特定売り場に進入してテーブルに着席する当時、売り場コード及びテーブル番号に該当する情報をＮＦＣタグ、呼び出しベルで発生されるビーコン信号、またはキューアール（ＱＲ）コード認識を介して共に受信することができる。この場合、ユーザ機器３００は、サービス要請意思が発生する度に、呼び出しベル４００との接触なしに、仮想ボタンアプリケーション上の特定仮想ボタンが入力されることを感知するだけで職員の呼び出し及び要請伝達を行うことができる。様々な実施形態によってユーザ機器３００にＮＦＣ接触をはじめとして様々な方式の近距離通信（例えば、ブルートゥースモジュールを用いたビーコン信号受信、ジグビー通信等）を介してテーブル番号を送信する装置は、テーブル上に備えられた呼び出しベル４００でありうる。また、様々な実施形態によって前記呼び出しベル４００の一面またはテーブルの一面にステッカー形式のキューアール（ＱＲ）コードが存在し得るし、ユーザ機器３００は、前記キューアール（ＱＲ）コード認識を介してテーブル番号を受信することもできる。
【００６１】
図５は、本発明の実施形態に係る仮想ボタンアプリケーションにおいて売り場コードを受信する動作を示した図である。
【００６２】
まず、５１０は、ユーザ機器３００の背景画面を示した図面である。ユーザ機器３００において仮想ボタンアプリケーションのアイコンを選択し、これを実行すれば、ユーザ機器３００の表示部は、５２０のようなイントロ画面を表示できる。その後、前記ユーザ機器３００は、特定売り場に進入して売り場用ブルートゥース信号機５００から売り場コードを受信できるが、売り場コードを受信する途中には、５３０のような画面を表示できる。５３０を参照すれば、ユーザ機器３００の表示部には、売り場名を受信している途中であるとの文句が共に表示され得る。その後、売り場コードが受信完了すれば、ユーザ機器３００は、５４０のように、当該売り場用仮想ボタン情報が表示され得る。当該売り場が別の売り場用仮想ボタンをサーバ２００に入力していない場合であれば、サーバ２００は、ユーザ機器３００に基本フォーマットの仮想ボタンを送信できる。仮想ボタンの各々は、「ここに来てください」、「メニューを持ってきてください」、「テーブルのセッティングをお願いします」などのように、ユーザが頻繁に行うサービス要請で構成されることができる。
【００６３】
先に、近距離通信モジュールを用いてユーザ機器３００が特定売り場の装置から信号を受ける状況についてのみ説明したが、売り場コードが変更された場合または売り場コードがそれ以上受信されない場合が生じる可能性がある。ユーザは、特定売り場に留まり続けるものではないであろうから、予め設定された時間毎にユーザ機器３００は、売り場コードを再確認し、売り場コードが変更されたか、受信されない場合、これに関する情報をサーバに送信することができる。言い替えれば、前記ユーザ機器３００は、仮想ボタンアプリケーション実行の際、売り場用ブルートゥース信号機５００を介して、またはその他、様々な方式で売り場コードを受信した場合、チェックイン状態とみなし、チェックイン状態を予め設定された時間の間維持することができる。そして、前記ユーザ機器３００は、予め設定された時間が経過すれば、売り場コードを新しく確認することができる。このとき、ユーザ機器３００の位置が売り場コードを受信できる範囲を外れた場合、ユーザ機器３００は、チェックイン状態をキャンセルすることをサーバ２００に要請し、サーバ２００は、前記売り場に該当する仮想ボタン情報をそれ以上提供しないようにチェックイン状態をキャンセルすることができる。
【００６４】
図６は、本発明の実施形態に係る仮想ボタンを介してサービスを要請する動作を示した図である。
【００６５】
６１０を参照すれば、ユーザは、ユーザ機器３００に表示された仮想ボタンのうち、特定ボタン６１１を選択できる。前記ボタン６１１は、「メニューを持ってきてください」とのサービス内容を含むボタンである。ユーザ機器３００は、前記ボタン６１１をアプリケーション上で選択した後、６２０のようなＮＦＣ接触待機画面を表示できる。そして、ユーザ機器３００は、前記画面６２０上に取消ボタンを共に表示することができ、ユーザが取消ボタンを選択した場合、再度仮想ボタン目録を表示する画面に戻ることができる。
【００６６】
様々な実施形態によって６２１のように、ユーザ機器３００は、特定ボタン選択後、呼び出しベル４００とのＮＦＣ接触でないキューアール（ＱＲ）コード撮影を要請できる。例えば、キューアールコードは、売り場のテーブルの一側または呼び出しベル４００の一側に表示されることができる。前記呼び出しベル４００がＮＦＣ機能を支援しない場合、キューアールコードイメージを付着することができる。そして、前記キューアールコードには、テーブルＩＤ情報が含まれ得る。
【００６７】
ユーザ機器３００は、画面６２０または６２１にしたがって呼び出しベル４００とのＮＦＣ接触またはキューアールコード撮影を行えば、その後、６３０のように、選択したボタンに該当するメッセージを伝達できる。そして、前記ユーザ機器３００は、選択したボタンに該当するサービス要請が行われることを知らせるメッセージ窓６３１を表示できる。その後、ユーザ機器３００は、６４０において図示されるように、選択されたボタン６１１と選択されなかったボタン等とを区分するために、前記選択されたボタン６１１の色相を変更することができる。様々な実施形態によってユーザ機器３００は、選択されたボタン６１１にサービスが要請中であることを知らせる効果アニメーション６４１をさらに表示することができる。
【００６８】
また、様々な実施形態によって前記ユーザ機器３００は、動作６２０または６２１後、直ちに画面６４０を表示することもできる。
【００６９】
図７は、本発明の実施形態に係る仮想ボタンのうち、選択されたボタンの例示を示した図である。
【００７０】
図７の７００において図示されるように、ユーザ機器３００は、仮想ボタン目録が表示されている状態で特定仮想ボタンが選択されれば、選択されたボタンの一部領域に区分のための表示をすることができる。その例として、７１０のように、ユーザ機器３００は、ボタンの一領域に時間の流れによって形状及び色相のうち、少なくとも１つが変わる効果アニメーションを追加できる。前記効果アニメーションは、売り場の職員が伝達された要請（「メニューを持ってきてください」）を確認する前までに表示されることができる。売り場の職員が伝達された要請を確認した場合に、ユーザ機器３００は、７２０のように、売り場の職員の確認が完了したことを表示する標識を仮想ボタンの一領域に表示することができる。そして、ユーザ機器３００は、予め設定された時間が経過した後、７３０のように、仮想ボタンの状態をデフォルト状態に復帰させることができる。
【００７１】
図８は、本発明の実施形態に係る仮想ボタンアプリケーション動作でＮＦＣが認識されない場合の例示を示した図である。
【００７２】
ユーザ機器３００は、仮想ボタンを選択した後、テーブルに設けられた呼び出しベル４００からＮＦＣ接触を介してテーブル番号に該当する呼び出しベルＩＤ情報を受信できるが、このとき、ユーザ機器３００は、ＮＦＣタグを要請する８１０のような画面を表示部に表示することができる。しかし、このとき、予め設定された時間内にＮＦＣ機能による情報受信がなされなかった場合、前記ユーザ機器３００は、８２０のような報知メッセージを表示できる。
【００７３】
図９は、本発明の実施形態に係る仮想ボタンアプリケーションで直接要請事項を入力する動作を示した図である。
【００７４】
９１０において図示される仮想ボタン目録画面は、仮想ボタンの他に、ユーザの要請事項を直接入力して伝達するための入力窓９１１を共に表示することができる。ユーザが前記入力窓９１１の内部を選択すれば、９２０において図示されるように、画面にキーパッドが共に表示され得る。前記入力窓９１１は、仮想ボタン目録にユーザーが望む要請内容が存在しない場合に、ユーザから入力されるユーザ要請事項を入力されるために、このように存在し得る。
【００７５】
図面に図示されてはいないが、本発明の様々な実施形態によって前記ユーザにより直接入力されるメッセージは、キーパッドを用いて入力されるだけでなく、マイクを用いて入力されることもできる。例えば、ユーザは、前記入力窓９１１を予め設定された時間より長く押して音声入力を受信できる音声受信モードに進入することができる。または、ユーザは、前記入力窓９１１内に表示され得る特定ボタンを押して音声受信モードに進入することもできる。その他にも、様々な方式によって音声受信モードに進入することができ、音声受信モードでユーザが話す内容がユーザ機器内に入力され得る。その後、前記入力窓９１１にキーパッドまたはマイクにより入力されたユーザメッセージは、呼び出しベルＩＤを受信した後、サーバに伝達されることができる。また、様々な実施形態によってマイクを介して入力されたユーザメッセージは、入力窓９１１ではない、別の領域に表示されることもできる。
【００７６】
図１０は、本発明の実施形態に係る職員用機器での動作を示した図である。
【００７７】
６３０は、ユーザ機器３００で仮想ボタンのうち、「メニューを持ってきてください」に対するボタンが選択されて、職員用機器１００に伝達された状態であることを知らせる画面である。このとき、ユーザ機器３００上には、伝達完了状態を知らせるメッセージ表示窓が表示され得るし、このとき、職員用機器１００側には、テーブル番号と要請事項が１０１のように１つの画面に表示されることができる。
【００７８】
図面に図示されてはいないが、様々な実施形態によって複数個の仮想ボタン信号が前記職員用機器１００に受信された場合、前記画面１０１には、複数個の要請が信号発生順序によって目録として表示されることもできる。そして、職員は、複数個の目録のうち、特定要請メッセージを選択して確認した後、順に他のメッセージを確認することもできる。
【００７９】
そして、前記画面１０１の下端に図示された「確認」ボタンは、顧客のサービス要請に対する応答が完了した場合、当該要請メッセージを削除するために選択されることができる。
【００８０】
図１１及び図１２は、本発明の実施形態に係るログイン動作を示した図である。
【００８１】
ユーザ機器３００において仮想ボタンアプリケーションを実行させるためには、ログイン過程が要求され得る。１１１０を参照すれば、本発明の実施形態によって仮想ボタンアプリケーションは、他のサーバに予め保存されたアカウントを用いてログインを行うことができ、１１２０において図示されるように、当該サーバに接続のためのＩＤ及びパスワードを入力させる入力窓を表示できる。１１３０において図示されるように、他のサーバ会員であることが認証され、当該情報で本発明の実施形態に係る仮想ボタンアプリケーションを実行し続けると、ユーザ機器３００は、１１４０のように売り場名を受信できる。前記ユーザ機器３００は、売り場名を売り場内に設けられたブルートゥース信号機から発生されたビーコン信号を受信することで得ることができる。
【００８２】
図１１と同様に、図１２も仮想ボタンアプリケーションを実行するために伴われるログイン過程について示している。
【００８３】
ユーザは、１２００においてログインに使用する他のサーバ種類（例えば、グーグル）を選択できる。その後、ユーザ機器３００は、１２１０のように、前記ユーザが選択した種類に対応してアカウントを選択できるように選択目録を表示する動作を行うことができる。このとき、前記種類目録は、ユーザ機器３００に予め保存されており、ログイン状態であるユーザアカウントＩＤが表示され得る。このとき、ユーザは、ログインが行われた状態であるユーザアカウントを選択すれば、１２２０のように、個人情報活用などの同意過程を経て、ユーザ機器３００は、１２３０のように、売り場名を受信する動作を行うことができる。
【００８４】
図１３は、本発明の実施形態に係る売り場側で仮想ボタンを設定する動作について示した図である。
【００８５】
本発明の実施形態に係る仮想ボタンアプリケーションは、売り場による区分なしに基本的に提供される仮想ボタン目録が存在し得る。そして、ユーザは、仮想ボタンアプリケーションに接続し、基本提供仮想ボタンを用いて売り場側に仮想ボタン信号を伝達することが可能である。ただし、様々な実施形態によって売り場側は、各売り場の特色に合うように仮想ボタンの各々に対応するサービス要請事項を変更できる。このために、サーバ３００側は、売り場用入力プログラムを別に提供することができる。
【００８６】
図１３に示すように、売り場用機器は、１３００のように、売り場用入力プログラムのログイン画面を表示できる。このとき、入力されるＩＤとパスワードは、サーバ２００側で予め設定して与えられた売り場用ＩＤでありうる。
【００８７】
ログインが完了すれば、売り場用機器は、１３１０のように、仮想ボタン編集画面を表示できる。ログイン情報に応じて売り場コード（または、売り場名、アドレス情報等）が共に画面上に表示され得る。そして、売り場用機器は、テーブル番号を入力する方式を設定する設定領域１３１１を前記仮想ボタン編集画面に表示することができる。
【００８８】
そして、売り場用機器は、仮想ボタン編集画面で仮想ボタンを新しく追加したり、削除することが可能である。例えば、１３２１のようにＸ印を選択すれば、１３２２のような削除可否を問うメッセージ窓が表示され得る。そして、１３２３のように、ボタン内のテキスト表示領域を選択する場合、１３２４のように、当該テキストを変更できる入力窓が表示され得るし、売り場側は、これを用いて要請事項の文句を変更できる。
【００８９】
そして、仮想ボタン編集画面で仮想ボタンを押したときの動作を設定することもできる。売り場の関係者は、１３２５のように、動作種類が表示された領域を選択すれば、例えば、１３２６のように「職員にメッセージ報知」と「外部ＵＲＬに連結」のうち、仮想ボタン選択の際に行われる動作を選択できる。例えば、前記「外部ＵＲＬに連結」は、ユーザの「メニューを持ってきてください」との要請に対応して職員を要請するものではなく、メニューイメージを表示する外部ＵＲＬをユーザ機器３００側に表示できるように支援する機能になることができる。そして、これによって選択された機能情報は、１３２９のように、仮想ボタンの一領域に表示されることができる。前記１３２９は、ユーザ機器３００側には表示されず、仮想ボタン編集画面のみで表示されることができる。
【００９０】
そして、１３２７のように、「＋」表示された領域を選択することは、仮想ボタンを追加するための動作でありうる。これにより、仮想ボタン編集画面では、動作１３２７に対応して１３２８のような新規入力窓を表示できる。売り場の関係者は、新規入力窓１３２８に新しく追加する仮想ボタンに対応する要請事項を記載することができる。
【００９１】
呼び出しベルは、レストランのみならず、療養所、病院、学校、産業界等、様々な所で使用されている。すなわち、レストランでない前記挙げた場所で呼び出しベルが使用される場合、本発明の実施形態に係る仮想ボタンに記載された要請事項の内容も共に変更される必要がある。このために、本発明の実施形態に係るサーバ２００は、売り場側に仮想ボタン編集プログラムを共に提供することができ、前記編集プログラムは、図１の７０に該当することができる。
【００９２】
仮りに、本発明の実施形態に係る呼び出しベルが療養所で使用される場合、療養所側は、編集プログラムを利用して仮想ボタンに記載された要請事項を「応急状況」、「食事要請」などに変更することができる。このように、本発明の様々な実施形態によって仮想ボタンアプリケーションは、各ボタンに該当する要請事項を変更して、場所に適したサービスを提供できるように支援することができる。
【００９３】
そして、本明細書と図面に開示された本発明の実施形態等は、本発明の実施形態に係る技術内容を容易に説明し、本発明の実施形態の理解を助けるために特定例を提示したものであり、本発明の実施形態の範囲を限定しようとするものではない。したがって、本発明の様々な実施形態の範囲は、ここに開示された実施形態等の他にも、本発明の様々な実施形態の技術的思想に基づいて導き出されるあらゆる変更または変形された形態が本発明の様々な実施形態の範囲に含まれることと解釈されるべきである。
【図１】
0006854887.tif 000002
【図２】
0006854887.tif 000003
【図３】
0006854887.tif 000004
【図４】
0006854887.tif 000005
【図５】
0006854887.tif 000006
【図６】
0006854887.tif 000007
【図７】
0006854887.tif 000008
【図８】
0006854887.tif 000009
【図９】
0006854887.tif 000010
【図１０】
0006854887.tif 000011
【図１１】
0006854887.tif 000012
【図１２】
0006854887.tif 000013
【図１３】
0006854887.tif 000014